(57)【要約】【課題】音楽、映像、コンピュータ等のソフトにおいて、購入者一人一人が自分自身に許諾されたライセンス情報が書き込まれたメディアを保有する。【解決手段】ソフト供給者は、購入者が購入したソフトに対する著作権の許諾ライセンスを保存管理し、インターネットを介してライセンス情報とともに配布データとしてソフトを購入者へ配布する。配布されたデータは、同封されているメディアビルダーを使ってハードウエアメディアへ書き込むことによってのみ、ソフトとして利用できる形式となっており、購入者はメディアビルダーを使ってＣＤ−ＲやＤＶＤ−Ｒ等のハードウエアメディアを作成する。この時、許諾ライセンスが確認されると同時に、作成されるメディアには許諾されたライセンス情報が組み込まれる。【選択図】            図１
2006079569.tif 000002
【特許請求の範囲】
【請求項１】
インターネットを通じてソフトを配布し、購入者の手元でハードウエアメディアへ書き込むとともに、著作権の許諾管理されたライセンス情報を同時に組み込むことを特徴とする方法。
【請求項２】
請求項１に記載の方法において、著作権の許諾管理されたライセンス情報を、購入者一人一人が最終的に所有するハードウエアメディアへ組み込むことを特徴とする方法。
【請求項３】
請求項１に記載の方法において、購入者がハードウエアメディアの作成に成功したことをソフト供給者へ通知し、この情報をソフト供給者が管理することを特徴とする方法。
【請求項４】
請求項１に記載の方法において、配布データからハードウエアメディアへ書き込む時に、ソフト供給者へライセンス情報の照会・検証を実施し、購入者へ許された数量を超えたハードウエアメディアの作成を禁止することを特徴とする方法。
【請求項５】
請求項１に記載の方法において、ハードウエアメディアへ書き込むソフトウエアを同封して配布することを特徴とする方法。
【請求項６】
請求項１に記載の方法において、配布されるデータは最終的にハードウエアメディアへ書き込まれた形態にならないと使用できないことを特徴とする方法。
【発明の詳細な説明】
【技術分野】
【０００１】本発明は、ソフト供給者がインターネットを介して購入者へソフトのデータを配布し、購入者自身がハードウエアメディアへデータを書き込むことによりソフトの提供を受けるシステムに関する。
【背景技術】
【０００２】図４に示すように従来のソフト販売の方法は、流通手段を使ってハードウエアメディアを配布する方法あるいは、インターネットを利用して購入者のＰＣ上へソフトを直接ダウンロードする方法である。
【発明の開示】
【発明が解決しようとする課題】
【０００３】しかし、従来方式による配布では、図４に示すように購入者全てが同一のハードウエアメディアを所有することとなり、著作権に違反した場合の調査追跡が困難であった。また、インターネットを利用して購入者のＰＣ上へソフトを直接ダウンロードしても、音楽、映像ソフトに関してはＣＤ−ＲやＤＶＤ−Ｒ等のハードウエアメディアへの変換の後に利用するケースがほとんどであった。【０００４】そこでこの発明は、インターネットを介して購入者のライセンス情報の組み込まれたハードウエアメディアを配布することを課題とする。
【課題を解決するための手段】
【０００５】以上の課題を解決するために、ソフト供給者は購入者からのソフト購入依頼が発生した時に、販売するソフトに対する著作権の許諾されたライセンスを生成し、購入者の情報と合わせて保存管理する。ソフト供給者は、販売ソフトとともに著作権の許諾されたライセンス及びメディアビルダープログラムをまとめた配布データを作成し、大容量データ転送に対応したファイル送信手段を利用して配布データを購入者へ送信する。【０００６】配布データを受信した購入者は、同封されているメディアビルダープログラムを起動する。メディアビルダープログラムは、配布データに同封されたライセンス情報をもとに、ソフト供給者へ照会してライセンスの許諾を確認する。ライセンスの許諾が確認された場合は、販売ソフトの中へライセンス情報を組み込んで、ＣＤ−ＲやＤＶＤ−Ｒ等のハードウエアメディアへ書き込みを実施してメディアを作成する。ライセンスの許諾が確認できない場合または、許可された数量を超えてハードウエアメディアを作成しようとした場合は、ハードウエアメディアを作成しない。【０００７】メディアビルダーによるハードウエアメディアの作成が正常に完了した後、ソフト供給者へハードウエアメディア作成済の登録を依頼する。依頼を受けたソフト供給者は、ハードウエアメディア作成済み数量等のライセンス情報を更新し、メディア作成済として情報を登録する。なお、購入者が受け取った配布データはそのままではソフトとして機能せず、メディアビルダーによるハードウエアメディアの作成によってのみ利用が可能となる。
【発明の効果】
【０００８】購入者が受け取るＣＤ−ＲやＤＶＤ−Ｒ等のハードウエアメディア内には、購入者に対する著作権の許諾を受けたライセンス情報が含まれる。これは、既存の流通ルートによるＣＤ販売等には無い優れた特性であり、著作権保護の目的で利用できる有益な情報となる。また、購入者はＣＤ−ＲやＤＶＤ−Ｒ等のハードウエアメディアのかたちでソフトを受け取るため、音楽、映像ソフトの場合には直ちに使用できるメリットを享受できる。
【発明を実施するための最良の形態】
【０００９】この発明における処理の流れを図１に示す。
購入者はブラウザ１０１を通して、ソフト供給者の用意する販売の為のサイト２０１へアクセスしソフトの購入手続きを完了させる。次に、サイト２０１では著作権の許諾されたライセンス情報を作成し、購入者の情報とともにＤＢ３０３へ保存する。また、配布データ３０４を作成するために、販売ソフト３０２、ＤＢ３０３に保存されているライセンス情報及びメディアビルダー３０１を一つのパッケージにまとめる。【００１０】サイト２０１は大容量データに対応した送信手段を利用して、配布データ３０４を購入者へ送信する。購入者はメーラー、ブラウザ１０２を介して配布データ３０４を受け取る。配布データ３０４を受け取った購入者は、配布データ３０４に含まれているメディアビルダー１０３を起動する。【００１１】起動されたメディアビルダー１０３は、ソフト供給者の提供するＷＥＢ機能２０２とインターフェイスを確立し、配布データ３０４に含まれているライセンス情報の許諾確認を問い合わせる。ライセンスの許諾確認の問合せを受け付けたＷＥＢ機能２０２は、ＤＢ３０３に保存されているライセンスならびに購入者情報を参照し、ハードウエアメディアの作成数量等のライセンスの有効性を検査した後、検査の結果をメディアビルダー１０３へ通知する。【００１２】ライセンスの許諾が確認された場合は、配布データ３０４に含まれる販売ソフトデータとライセンス情報をもとに、ＣＤ−ＲやＤＶＤ−Ｒ等のハードウエアメディア３０５への書き込みを実施する。ライセンスの許諾が確認できなかった場合または、許可された数量を超えてハードウエアメディアを作成しようとした場合は、著作権に対する違反が発生したものとして処理を中止する。【００１３】ハードウエアメディア３０５への書き込みが正常終了した後、メディアビルダー１０３はＷＥＢ機能２０３とインターフェイスを確立し、メディア作成済情報の登録を依頼する。メディア作成済情報の登録依頼を受け付けたＷＥＢ機能２０３は、ＤＢ３０３に保存されているライセンス情報のハードウエアメディア作成済み数量に１加算するとともに、ライセンス状態をメディア作成済に変更する。
【実施例】
【００１４】購入者からの音楽、映像、コンピュータ等のソフト購入操作に対して、ソフト供給者は著作権許諾のライセンスを作成・管理し、大容量に対応した送信手段を利用して、購入者へＣＤ−ＲやＤＶＤ−Ｒ等のハードウエアメディア作成に必要なファイルを送信する。購入者は、受信したファイルからメディアビルダーを起動し、許諾されたライセンスが組み込まれたハードウエアメディアを作成する。ハードウエアメディアの作成が正常終了した後、購入者に許諾されたライセンス情報は、メディアの作成数量が更新されメディア作成済の状態に変更登録される。【００１５】図２においては、メディアの配布方法と著作権保護に関する仕組みを示す。
ソフト供給者４０２から送信された配布データ３０４は、購入者４０１のもとで許諾されたライセンスの組み込まれたソフトとして、ＣＤ−ＲやＤＶＤ−Ｒ等のハードウエアメディア３０５に保存される。ハードウエアメディア３０５が不正にコピーされ使用されたことが発覚した場合、使用されたメディアに組み込まれたライセンス情報をもとにライセンスの許諾された購入者を特定でき、不正利用時の追跡調査が確実となる。【００１６】図３においては、本発明で購入者が使用できるソフトを入手するまでの流れを簡潔に示す。ソフト購入者４０１はソフト供給者４０２から送信された配布データ３０４を受け取る。この配布データ３０４はそのままではソフトとしては機能せず、ハードウエアメディア３０５を作成することにより、購入者４０１は使用可能なソフトを入手できる。【００１７】図４においては、従来方式の販売方法により購入者が入手できるソフトを示す。
流通手段によるソフト販売では、購入者が入手する購入ソフト３０６は購入者全員が同一のメディアを所有する。また、インターネットによるダウンロード販売で入手した音楽や映像等のソフトは、購入者によって一旦ＣＤ−ＲやＤＶＤ−Ｒ等に変換した後に利用するケースが多い。【００１８】なお上記において、種々の具体例を示して説明してきたが、本発明はこれらの具体例にのみ限定されるものではなく、本発明の技術的範囲を逸脱することなしに様々な変形が可能であることは勿論である。【００１９】例えば、ハードウエアメディアは、ＣＤ−ＲやＤＶＤ−Ｒについて述べたが、これに限らず書き込み可能な記憶媒体であれば良いことは勿論である。またソフトとは、音楽、映像、コンピュータのソフトについて述べたが、これに限らず記憶媒体に保存して利用することが可能な電子式ソフトであれば良いことは勿論である。また、購入者がハードウエアメディアを作成するのに使用する機器をＰＣと述べたが、これに限らずＤＶＤレコーダ等を含めハードウエアメディアへの書き込み機能を有する機器であれば良いことは勿論である。また、配布データのインターネット上での送信手段は、配布データをソフト供給者から購入者へ受け渡すことが可能な送信手段であれば良いことは勿論である。また、ハードウエアメディアへ組み込まれるライセンスの方式は、作成されたハードウエアメディアからソフト供給者がライセンスを取り出せるものであれば良いことは勿論である。
【図面の簡単な説明】
【００２０】
【図１】    本発明において、機能の構成を示す図である。
【図２】    本発明において、メディアの配布方法と著作権保護に関する仕組みを示す図である。
【図３】    本発明において、ソフト供給方法を簡潔に示す図である。
【図４】    本発明において、従来方式でのソフト供給方法を示す図である。
【符号の説明】
【００２１】      １０１      購入者の使用するブラウザ
１０２      購入者の使用するメーラー及びブラウザ
１０３      実行中のメディアビルダープログラム
２０１      ソフト供給者の提供するソフト販売の為のＷＥＢサイト
２０２      ライセンス情報確認の為のＷＥＢ機能
２０３      メディア作成をライセンス情報へ登録する為のＷＥＢ機能
３０１      配布用に保存されているメディアビルダープログラム
３０２      販売の為に保存されているソフト
３０３      ライセンスや購入者情報の管理されているデータベース
３０４      購入者へ配布する目的で作成された配布データ
３０５      最終的に作成されるハードウエアメディア
３０６      従来方式の流通手段で入手できるソフト
３０７      従来方式のダウンロード販売手段で入手できるソフト
４０１      購入者
４０２      ソフト供給者
【図１】
2006079569.tif 000003
【図２】
2006079569.tif 000004
【図３】
2006079569.tif 000005
【図４】
2006079569.tif 000006